(57)【要約】【課題】キャリアアグリゲーションを行う移動通信システムにおいて、基地局が、ユーザ装置におけるＣＣ間の受信タイミング差を把握し、適切にＳＣｅｌｌの追加や削除を行う。【解決手段】キャリアアグリゲーションに対応した移動通信システムにおけるユーザ装置において、コンポーネントキャリア間の受信タイミング差を測定する測定部と、前記測定部により測定された受信タイミング差に関する情報を基地局に通知する情報通知部と、前記情報を受信した前記基地局からの指示に基づいて、前記キャリアアグリゲーションにおけるセカンダリセルの追加又は削除を行う制御部とを備える。【選択図】図４
2018170813.tif 000002
【特許請求の範囲】
【請求項１】
キャリアアグリゲーションに対応した移動通信システムにおけるユーザ装置であって、
コンポーネントキャリア間の受信タイミング差を測定する測定部と、
前記測定部により測定された受信タイミング差に関する情報を基地局に通知する情報通知部と、
前記情報を受信した前記基地局からの指示に基づいて、前記キャリアアグリゲーションにおけるセカンダリセルの追加又は削除を行う制御部と
を備えることを特徴とするユーザ装置。
【発明の詳細な説明】
【技術分野】
【０００１】
本発明は、キャリアアグリゲーションを行う移動通信システムにおけるユーザ装置ＵＥと基地局ｅＮＢに関するものである。
【背景技術】
【０００２】
ＬＴＥ−Ａｄｖａｎｃｅｄでは、ＬＴＥとのバックワードコンパチビリティを保ちつつ、ＬＴＥを上回るスループットを実現するために、ＬＴＥでサポートされている帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
キャリアアグリゲーションは、ＣＣの周波数配置により図１（ａ）〜（ｃ）に示すように３つのシナリオに分類される。図１（ａ）は、Ｉｎｔｒａ−ｂａｎｄ  ｃｏｎｔｉｇｕｏｕｓ  ＣＡであり、バンド内で連続するＣＣを配置するシナリオである。このシナリオは、例えば、３．５ＧＨｚ帯のような広帯域の割当てが行われる場合に適用される。図１（ｂ）は、Ｉｎｔｅｒ−ｂａｎｄ  ｎｏｎ−ｃｏｎｔｉｇｕｏｕｓ  ＣＡであり、異なるバンドのＣＣを複数配置するシナリオである。このシナリオは、例えば、２ＧＨｚ帯と１．５ＧＨｚ帯等の複数のキャリアを用いて通信を行う場合に適用される。図１（ｃ）は、Ｉｎｔｒａ−ｂａｎｄ  ｎｏｎ−ｃｏｎｔｉｇｕｏｕｓ  ＣＡであり、同じバンド内で非連続なＣＣを配置するシナリオである。このシナリオは、例えば、事業者への周波数帯域の割当てが断片的である場合等に適用される。
【０００４】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートするＬＴＥ方式におけるセルと同様のセルである。
【０００５】
また、ＳＣｅｌｌは、ＰＣｅｌｌに追加されてユーザ装置ＵＥに対して設定されるセルである。Ｓｃｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、ＭＡＣ（Ｍｅｄｉａ  Ａｃｃｅｓｓ  Ｃｏｎｔｒｏｌ）レイヤにおいてアクティブ化することで初めて通信可能（スケジューリング可能）となるセルである。なお、ＰＣｅｌｌに対応するＣＣをＰＣＣ（Ｐｒｉｍａｒｙ  Ｃｏｍｐｏｎｅｎｔ  Ｃａｒｒｉｅｒ）と呼び、ＳＣｅｌｌに対応するＣＣをＳＣＣ（Ｓｅｃｏｎｄａｒｙ  Ｃｏｍｐｏｎｅｎｔ  Ｃａｒｒｉｅｒ）と呼ぶ。
【先行技術文献】
【非特許文献】
【０００６】
【非特許文献１】３ＧＰＰ  ＴＳ  ３６．３００  Ｖ１１．３．０  （２０１２−０９）
【発明の概要】
【発明が解決しようとする課題】
【０００７】
ＣＡを適用した場合、モビリティに伴うハンドオーバやＣＣ追加・削除の観点で、測定制御（ｍｅａｓｕｒｅｍｅｎｔ  ｍａｎａｇｅｍｅｎｔ）が必要になる。そこで、ＣＣ毎に接続（ｓｅｒｖｉｎｇ）及び周辺（ｎｅｉｇｈｂｏｒｉｎｇ）セルの受信レベル（ＲＳＲＰ  ：  Ｒｅｆｅｒｅｎｃｅ  Ｓｉｇｎａｌ  Ｒｅｃｅｉｖｅｄ  Ｐｏｗｅｒ）や受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）をユーザ装置ＵＥが測定し、特定の条件（イベント）を満たした場合に、基地局ｅＮＢにｍｅａｓｕｒｅｍｅｎｔ  ｒｅｐｏｒｔとして報告することが可能になっている。
【０００８】
一方、ＣＡを設定する場合、ＣＣ間のユーザ装置ＵＥにおける受信タイミング差（ｄｅｌａｙ  ｓｐｒｅａｄ）は所定の閾値内に収める必要がある（非特許文献１のＡｎｎｅｘ  Ｊ）。つまり、例えば図２に示すような、マクロセル（ＭｅＮＢのセル）とスモールセル（ＳｅＮＢのセル）を形成するＣＡの一形態において、ユーザ装置ＵＥがＭｅＮＢとＳｅＮＢから同時に送信される信号を受信する受信タイミング差は所定閾値内に収まる必要がある。受信タイミング差が所定閾値よりも大きくなると、ユーザ装置ＵＥは、タイミング差を適切に処理できなくなり、ＣＡにおける受信品質が低下する可能性があるからである。
【０００９】
運用によってはＣＣ間の受信タイミング差が所定の閾値に収まらない可能性があるが、基地局ｅＮＢは当該事象を知ることができないという問題がある。
【００１０】
例えば、本事象が発生すると、ユーザ装置ＵＥはＣＱＩとして非常に小さい値を報告することが考えられるが、基地局ｅＮＢはＳＣｅｌｌの品質が悪くなったのか、或いは受信ｗｉｎｄｏｗ外になった（受信タイミング差が所定閾値以上になった）のかを判別することができない。
【００１１】
例えば、あるＳＣｅｌｌの受信タイミングが基準タイミング（例：ＰＣｅｌｌの受信タイミング）に対して閾値以上にずれ、受信ｗｉｎｄｏｗ外になったとしても、当該ＳＣｅｌｌ自体の品質がよければ、（例えば、Ｅｖｅｎｔ  Ａ２によって）ｍｅａｓｕｒｅｍｅｎｔ  ｒｅｐｏｒｔが送信されない可能性もある。
【００１２】
基地局ｅＮＢは、ＣＣ毎のｍｅａｓｕｒｅｍｅｎｔ  ｒｅｐｏｒｔに基づいて、ＣＣの入れ替えや、使用中のＣＣをより品質の良い未使用のＣＣに切り替えるといった制御を行うが、基地局ｅＮＢが当該事象を知ることができない場合、使用できないＳＣｅｌｌを常に維持することになるため、ユーザ装置ＵＥのバッテリーセービングやＮＷリソース、無線リソースの観点で望ましくない。
【００１３】
本発明は上記の点に鑑みてなされたものであり、ＣＡを行う移動通信システムにおいて、基地局が、ユーザ装置におけるＣＣ間の受信タイミング差を把握し、適切にＳＣｅｌｌの追加や削除を行うことを可能とする技術を提供することを目的とする。
【課題を解決するための手段】
【００１４】
本発明の実施の形態によれば、キャリアアグリゲーションに対応した移動通信システムにおけるユーザ装置であって、
コンポーネントキャリア間の受信タイミング差を測定する測定部と、
前記測定部により測定された受信タイミング差に関する情報を基地局に通知する情報通知部と、
前記情報を受信した前記基地局からの指示に基づいて、前記キャリアアグリゲーションにおけるセカンダリセルの追加又は削除を行う制御部と、を備えるユーザ装置が提供される。
【００１５】
また、本発明の実施の形態によれば、キャリアアグリゲーションに対応した移動通信システムにおける基地局であって、
ユーザ装置から、あるコンポーネントキャリアについてのコンポーネントキャリア間の受信タイミング差に関する情報を受信する受信部と、
前記受信部により受信した受信タイミング差に関する情報に基づいて、前記コンポーネントキャリアに対応するセカンダリセルセルを追加又は削除するか否かを判定する判定部と、
前記判定部による判定結果に基づいて、前記セカンダリセルセルを追加又は削除することを前記ユーザ装置に指示する情報通知部と、を備える基地局が提供される。
【００１６】
また、本発明の実施の形態によれば、キャリアアグリゲーションに対応した移動通信システムにおけるユーザ装置が実行するキャリアアグリゲーション制御方法であって、
コンポーネントキャリア間の受信タイミング差を測定する測定ステップと、
前記測定部により測定された受信タイミング差に関する情報を基地局に通知する情報通知ステップと、
前記情報を受信した前記基地局からの指示に基づいて、前記キャリアアグリゲーションにおけるセカンダリセルの追加又は削除を行う制御ステップと、を備えるキャリアアグリゲーション制御方法が提供される。
【００１７】
また、本発明の実施の形態によれば、キャリアアグリゲーションに対応した移動通信システムにおける基地局が実行するキャリアアグリゲーション制御方法であって、
ユーザ装置から、あるコンポーネントキャリアについてのコンポーネントキャリア間の受信タイミング差に関する情報を受信する受信ステップと、
前記受信ステップにより受信した受信タイミング差に関する情報に基づいて、前記コンポーネントキャリアに対応するセカンダリセルを追加又は削除するか否かを判定する判定ステップと、
前記判定ステップによる判定結果に基づいて、前記セカンダリセルを追加又は削除することを前記ユーザ装置に指示する情報通知ステップと、を備えるキャリアアグリゲーション制御方法が提供される。
【発明の効果】
【００１８】
本発明の実施の形態によれば、ＣＡを行う移動通信システムにおいて、基地局が、ユーザ装置におけるＣＣ間の受信タイミング差を把握し、適切にＳＣｅｌｌの追加や削除を行うことを可能とする技術が提供される。
【図面の簡単な説明】
【００１９】
【図１】キャリアアグリゲーションの周波数配置例を示す図である。
【図２】ＣＡにおけるＣＣ間の受信タイミング差の例を説明するための図である。
【図３】本発明の実施の形態に係る移動通信システムの構成図である。
【図４】第１の実施の形態における処理シーケンスである。
【図５】ＣＣ間受信タイミング差を説明するための図である。
【図６】第２の実施の形態における処理シーケンスである。
【図７】受信ｗｉｎｄｏｗ内／外の判定方法を説明するための図である。
【図８】受信タイミング差に関する情報を通知するためのＭＡＣ  ＣＥの例を示す図である。
【図９】第２の実施の形態における他の例の処理シーケンスである。
【図１０】ユーザ装置ＵＥの機能構成図である。
【図１１】ユーザ装置ＵＥの基本的な動作を示すフローチャートである。
【図１２】基地局ｅＮＢの機能構成図である。
【図１３】基地局ｅＮＢの基本的な動作を示すフローチャートである。
【発明を実施するための形態】
【００２０】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥ−Ａｄｖａｎｃｅｄを含むＬＴＥに対応していることを想定しているが、本発明はＬＴＥに限らず、ＣＡを行う他の方式にも適用可能である。以下、特に断らない限り、「ＬＴＥ」は、ＬＴＥ−Ａｄｖａｎｃｅｄを含む意味で使用する。
【００２１】
（システム構成、動作例）
図３に本発明の実施の形態に係る移動通信システムの構成図を示す。図３に示す本実施の形態に係る移動通信システムは、ＬＴＥ方式の移動通信システムであり、ＰＣｅｌｌ及びＳＣｅｌｌ＃０〜＃２を管理する基地局ｅＮＢと、ユーザ装置ＵＥとを具備している。なお、図３に示す例では、ＳＣｅｌｌが３つ設定されている場合を示しているが、これは一例に過ぎない。また、ＰＣｅｌｌ及びＳＣｅｌｌ＃０〜＃２のそれぞれは、上りリンク用セルと下りリンク用セルを有してよいが、本実施の形態では特に下り方向に着目している。また、図３には、ユーザ装置ＵＥ、及び基地局ｅＮＢが１つずつ示されているが、これは例であり、それぞれ複数であってもよい。また、図２に示したような、ユーザ装置ＵＥが複数の基地局ｅＮＢと同時に通信を行うＣＡの形態であってもよい。
【００２２】
前述したように、従来技術では、ＣＣ間の受信タイミング差を基地局ｅＮＢが把握できなかったが、本実施の形態では、この問題を解決し、基地局ｅＮＢがＣＣ間の受信タイミング差を把握できる仕組みを備えている。
【００２３】
以下、ＳＣｅｌｌを追加するケースを第１の実施の形態として説明し、ＳＣｅｌｌを削除するケースを第２の実施の形態として説明する。
【００２４】
（第１の実施の形態：ＳＣｅｌｌを追加するケース）
本実施の形態では、ユーザ装置ＵＥが基地局ｅＮＢに送信するｍｅａｓｕｒｅｍｅｎｔ  ｒｅｐｏｒｔの中にＣＣ間受信タイミング差に関する情報を含めることとしている。本実施の形態におけるシーケンス例を図４に示す。なお、ＳＣｅｌｌを追加する際に、追加されるＣＣの候補となるキャリア（周波数）は、追加される前はＣＡを構成するＣＣではないが、未使用のＣＣという意味で、ＣＣと呼ぶ。
【００２５】
基地局ｅＮＢはユーザ装置ＵＥに対してｍｅａｓｕｒｅｍｅｎｔ設定情報を送信する（ステップ１０１）。ｍｅａｓｕｒｅｍｅｎｔ設定情報には、例えば、測定を行う対象の周波数、ユーザ装置ＵＥがｍｅａｓｕｒｅｍｅｎｔ  ｒｅｐｏｒｔを送信するタイミングや条件（イベント、閾値）等が含まれている。また、ｍｅａｓｕｒｅｍｅｎｔ設定情報の中に、ＣＣ間受信タイミング差に関する情報をｍｅａｓｕｒｅｍｅｎｔ  ｒｅｐｏｒｔに含めるか否か、含める場合にどのような情報を含めるか、が含まれていてもよい。なお、ユーザ装置ＵＥが測定を行う対象の周波数（キャリア）は、ｍｅａｓｕｒｅｍｅｎｔ設定情報で指定された周波数に限られるわけではない。
【００２６】
本例では、ｍｅａｓｕｒｅｍｅｎｔ設定情報において、ＣＣ間受信タイミング差に関する情報を含めることが指定されていたものとする。
【００２７】
上記ｍｅａｓｕｒｅｍｅｎｔ設定情報を受信したユーザ装置ＵＥは、当該設定情報に基づきｍｅａｓｕｒｅｍｅｎｔ（測定）を行う。
【００２８】
本例では、ユーザ装置ＵＥは、周辺セル（追加候補となるＣＣ）の受信品質（受信レベルを含めて"受信品質"と呼ぶことにする）が所定の閾値以上になったというイベントが発生したときに、ｍｅａｓｕｒｅｍｅｎｔ  ｒｅｐｏｒｔを送信することとしており、ステップ１０２にてこのイベントが発生したものとする。
【００２９】
本実施の形態では、ユーザ装置ＵＥは、各ＣＣの受信品質とともに、ＣＣ間の受信タイミング差を測定している。例えば、ユーザ装置ＵＥは、各ＣＣで送信される基準信号（同期信号、参照信号等）を受信するタイミングに基づき、ＣＣ間の受信タイミング差を測定する。一例として、あるＣＣ（追加候補となるＣＣ）のＣＣ間受信タイミング差を、受信タイミング差が最も大きくなるＣＣ（接続セルのＣＣ）の受信タイミングとの差とすることができる。例えば、図５に示すように、接続セル（Ｐｃｅｌｌ、Ｓｃｅｌｌ）のＣＣ１ｌ、ＣＣ２がＡ、Ｂで示す受信タイミングであるとした場合に、追加候補となるＣＣ−Ｘの受信タイミングがＣであるとすると、ＣＣ−ＸのＣＣ間受信タイミング差（最大のＣＣ間受信タイミング差）はＡ−Ｃ間の時間となる。あるいは、ＰＣＣの基準信号の受信タイミングを基準とし、当該ＰＣＣの受信タイミングと、接続セル及び周辺セルのＣＣの受信タイミングとの差を測定し、あるＣＣについて、他のＣＣとの間で最大となる受信タイミング差を演算で求めることとしてもよい。
【００３０】
ｍｅａｓｕｒｅｍｅｎｔ  ｒｅｐｏｒｔ送信のイベントがあるＣＣについて発生した（ステップ１０２）ことをトリガとして、ユーザ装置ＵＥは、ｍｅａｓｕｒｅｍｅｎｔ  ｒｅｐｏｒｔに、当該ＣＣの受信品質とともに、当該ＣＣのＣＣ間受信タイミング差に関する情報を含めて基地局ｅＮＢに送信する（ステップ１０３）。
【００３１】
ＣＣ間受信タイミング差に関する情報は、例えば、接続セルのＣＣとの最大の受信タイミング差の値そのものであってもよいし、当該値を所定の閾値と比較した結果（閾値以上、閾値未満、等）であってもよい。
【００３２】
当該ｍｅａｓｕｒｅｍｅｎｔ  ｒｅｐｏｒｔを受信した基地局ｅＮＢは、受信品質とＣＣ間受信タイミング差に関する情報とに基づいて、該当ＣＣに係るＳＣｅｌｌを追加するかどうかを判定する（ステップ１０４）。例えば、基地局ｅＮＢは、受信品質が良くとも、ＣＣ間受信タイミング差が所定の閾値以上である場合には、当該ＣＣについてのＳＣｅｌｌを追加しないと判定することができる。
【００３３】
図４において、ステップ１０４での判定の結果、ＳＣｅｌｌを追加するとの判定結果である場合、基地局ｅＮＢはＳＣｅｌｌ追加の設定（ｃｏｎｆｉｇｕｒａｔｉｏｎ）をユーザ装置ＵＥに対してＲＲＣシグナリングにより行う（ステップ１０５）。つまり、基地局ｅＮＢはＳＣｅｌｌ追加の指示をユーザ装置ＵＥに対して行う。
【００３４】
上記の例では、ユーザ装置ＵＥに対して"ＣＣ間受信タイミング差に関する情報を含めること"をＲＲＣ信号（ｍｅａｓｕｒｅｍｅｎｔ設定情報）により行っていたが、この指示はＲＲＣ信号以外の信号（ＭＡＣ信号、ＰＨＹ信号等）で行うこともできる。また、"ＣＣ間受信タイミング差に関する情報を含めること"の指示がない場合、ユーザ装置ＵＥはｍｅａｓｕｒｅｍｅｎｔ  ｒｅｐｏｒｔにＣＣ間受信タイミング差に関する情報を含めない。あるいは、"ＣＣ間受信タイミング差に関する情報を含めない"という指示があったときに含めないこととし、この指示がない場合は含めることとしてもよい。
【００３５】
上記の例においてｍｅａｓｕｒｅｍｅｎｔ  ｒｅｐｏｒｔ送信のトリガとなるイベントは、ＬＴＥで規定されているイベントＡ４に相当するものであるが、イベントはこれに限られるわけではなく、他のイベントであってもよい。
【００３６】
例えば、ｍｅａｓｕｒｅｍｅｎｔ  ｒｅｐｏｒｔ送信のトリガとなるイベントが、"受信品質の条件、ＣＣ間受信タイミング差の条件の両方が満足された場合"であってもよい。例えば、受信品質の条件が「受信品質＞閾値Ａ」であり、ＣＣ間受信タイミング差の条件が、「ＣＣ間受信タイミング差＜閾値Ｂ」である場合、ユーザ装置ＵＥは、周辺セル（追加候補となるＣＣ）について「受信品質＞閾値Ａ」かつ「ＣＣ間タイミング差＜閾値Ｂ」であることを検知したら、ｍｅａｓｕｒｅｍｅｎｔ  ｒｅｐｏｒｔ送信を行う。
【００３７】
どのようなイベント（品質のみ、品質＋受信タイミング差、等）を報告トリガにするかについて、ＲＲＣ信号（ｍｅａｓｕｒｅｍｅｎｔ設定情報）によりユーザ装置ＵＥに指示してもよいし、この指示はＲＲＣ信号以外の信号（ＭＡＣ信号、ＰＨＹ信号等）で指示してもよい。
【００３８】
（第２の実施の形態：ＳＣｅｌｌを削除するケース）
次に、第２の実施の形態について説明する。本実施の形態では、ユーザ装置ＵＥが各接続セル（ＰＣｅｌｌ、ＳＣｅｌｌ）のＣＣのＣＣ間受信タイミング差を測定し、受信ｗｉｎｄｏｗ外となったＣＣの識別情報（ＳｅｒｖＣｅｌｌＩｎｄｅｘ、ＳＣｅｌｌＩｎｄｅｘ等）を基地局ｅＮＢに通知する。第２の実施の形態の動作を図６のシーケンス図に沿って説明する。
【００３９】
図６に示すシーケンスの前提として、ユーザ装置ＵＥは、ＰＣＣ（ＰＣｅｌｌ）及び１つ又は複数のＳＣＣ（ＳＣｅｌｌ）を用いてＣＡを行っているとする。
【００４０】
ユーザ装置ＵＥは、各ＣＣの受信タイミングを測定し、各ＣＣの受信タイミングが受信ｗｉｎｄｏｗ内にあるかどうかを判定する（ステップ２０１）。受信ｗｉｎｄｏｗは例えば所定の時間幅であり、各ＣＣの受信タイミングが受信ｗｉｎｄｏｗ内にあるとは、例えば、ＣＣ間受信タイミング差の最大値が当該所定の時間幅を超えないことである。一例として、図７（ａ）に示すように、接続セル（Ｐｃｅｌｌ、Ｓｃｅｌｌ）のＣＣｌ、ＣＣ２、ＣＣ３がＡ、Ｂ、Ｃで示す受信タイミングであるとした場合に、ＡとＣとの間の時間幅が受信ｗｉｎｄｏｗの所定の時間幅内であれば、これらのＣＣは受信ｗｉｎｄｏｗ内である。
【００４１】
また、図７（ｂ）に示すように、ＣＣｌ、ＣＣ２、ＣＣ３、ＣＣ４がＡ、Ｂ、Ｃ、Ｄで示す受信タイミングあり、Ａ−Ｄ間の時間幅が所定の時間幅を超えているとする。その場合、例えば、基準となるＣＣ（例：ＰＣＣ）を定め、当該基準ＣＣの受信タイミングからの時間距離が遠い順に受信ｗｉｎｄｏｗ外とすることができる。図７（ｂ）の場合、例えばＢがＰＣＣであるとすると、Ｄが受信ｗｉｎｄｏｗ外とされる。
【００４２】
上記の方法の他、基準となるＣＣ（例：ＰＣＣ）を定め、当該基準のＣＣの受信タイミングを中心とする所定の時間幅から出たタイミングのＣＣを受信ｗｉｎｄｏｗ外のＣＣであると判断してもよい。また、これら以外の方法で受信ｗｉｎｄｏｗ内／外の判定を行ってもよい。
【００４３】
ユーザ装置ＵＥは、図６のステップ２０１の判定の結果、受信ｗｉｎｄｏｗ外と判定されたＣＣの識別情報（例：ＳｅｒｖＣｅｌｌＩｎｄｅｘ、ＳＣｅｌｌＩｎｄｅｘ）を基地局ｅＮＢに通知する（ステップ２０２）。この通知は、当該受信ｗｉｎｄｏｗ外のイベントをトリガに行うこととしてもよいし、定期的な通知の中の１つであってもよい。
【００４４】
この例では、基地局ｅＮＢは、あるＣＣが受信ｗｉｎｄｏｗ外となったことに基づいて、当該ＣＣのＳＣｅｌｌを削除することを決定し（ステップ２０３）、ＳＣｅｌｌ削除設定をユーザ装置ＵＥに行う（ステップ２０４）。つまり、ユーザ装置ＵＥに当該ＣＣのＳＣｅｌｌ削除を指示する。
【００４５】
上記の例では、受信ｗｉｎｄｏｗ外となったＣＣを通知していたが、通知する情報はこれに限られない。例えば、ＣＣ毎のＣＣ間受信タイミング差（あるＣＣを基準とした受信タイミング差等）の値を送信することとしてもよい。この場合、基地局ｅＮＢは、受信した値に基づいて、ＣＣ毎に受信ｗｉｎｄｏｗ外かどうかの判定を行う。
【００４６】
図６のステップ２０２におけるユーザ装置ＵＥから基地局ｅＮＢへの情報通知方法は特定の方法に限定されないが、例えば、ＲＲＣ信号、ＭＡＣ信号、ＰＨＹ信号を使用することができる。
【００４７】
ＲＲＣ信号を使用する場合、例えば、新規のＩＥ（Ｉｎｆｏｒｍａｔｉｏｎ  Ｅｌｅｍｅｎｔ）を規定し、ＲＲＣメッセージで通知（報告）する。この場合、通知方法や閾値を指示するためのｍｅａｓｕｒｅ  ｏｂｊｅｃｔを定義し、当該ｍｅａｓｕｒｅ  ｏｂｊｅｃｔを含むｍｅａｓｕｒｅ設定情報が基地局ｅＮＢからユーザ装置ＵＥに送られる。
【００４８】
前述したように、通知の内容は限定されないが、例えば、各ＣＣのＣＣ間受信タイミング差が含まれる。ここで、ＣＣ間受信タイミング差等の値を通知する場合、小さな単位で増減する値そのものでなく、Ａ〜ＢはＢを送り、Ｂ〜ＣはＣを送りといったように、ある程度のステップを持っていてもよい。また、あるＣＣについて受信ｗｉｎｄｏｗ外の場合には、そのことを示す情報であるＯＯＲ（Ｏｕｔ  Ｏｆ  Ｒａｎｇｅ）を通知してもよい。
【００４９】
ＭＡＣ信号を使用する場合、例えば、新規のＭＡＣ  ＣＥ（Ｃｏｎｔｒｏｌ  Ｅｌｅｍｅｎｔ）を定義し、当該ＭＡＣ  ＣＥにて通知を行う。例えば、図８に示すようなＭＡＣ  ＣＥを用意し、受信タイミングが受信ｗｉｎｄｏｗ内に収まっている（或いは、超過している）ＣＣの組み合わせについてｂｉｔを設定し、当該ｂｉｔを設定したＭＡＣ  ＣＥを基地局ｅＮＢに通知する。図８に示す例では、ＣｉはＳｅｒｖＣｅｌＩＩｎｄｅｘ  ｉのビットフィールドを示す。例えば、Ｃ１のビットは、ＳｅｒｖＣｅｌＩＩｎｄｅｘが１のＣＣについて、受信タイミングが受信ｗｉｎｄｏｗ内に収まっている／いないを示す。
【００５０】
ＰＨＹ信号を使用する場合、例えば、既存のＣＳＩ報告（ＣＱＩ／ＲＩ／ＰＭＩ／ＰＴＩ）に新しい報告値（例：上記ＭＡＣ信号での報告値と同様）を導入し、ＣＳＩ報告時（ｐｅｒｉｏｄｉｃ或いは、Ａｐｅｒｉｏｄｉｃ）に報告を行う。この場合、既存のＣＱＩ／ＲＩ／ＰＭＩ／ＰＴＩとともにＣＣ間受信タイミング差に関する新しい報告値を通知する。また、受信タイミング差報告用の新しいＣＳＩ報告を定義することとしてもよい。
【００５１】
尚、ユーザ装置ＵＥの移動によってはＣＣ間の受信タイミングずれは刻々と変化し得る。瞬時的な変化の度に当該変化の報告を行っていると、シグナリングオーバーヘッドとなるため、Ｔｉｍｅ  ｔｏ  Ｔｒｉｇｇｅｒやヒステリシスが適用されてもよい。
【００５２】
第２の実施の形態における他の例を図９のシーケンスに沿って説明する。この例では、例えばステップ３０１のｍｅａｓｕｒｅｍｅｎｔ設定情報により、各接続ＣＣに対してイベントＡ２が設定されるとする。イベントＡ２は接続セルの受信品質が所定の閾値より悪くなった場合をｍｅａｓｕｒｅｍｅｎｔ  ｒｅｐｏｒｔのトリガとするものであるが、本実施の形態では、イベントＡ２のトリガ条件として、"ＣＣ間受信タイミング差分閾値超過"が追加されている。なお、"ＣＣ間受信タイミング差分閾値超過"は"受信ｗｉｎｄｏｗ外発生"と同義である。この場合、例えば、受信品質とＣＣ間受信タイミング差分の２つの条件のＯＲ（いずれかを満たしたら報告）で判断することができる。
【００５３】
また、追加でなく、受信品質の条件に代えて"ＣＣ間受信タイミング差分閾値超過"又は"受信ｗｉｎｄｏｗ外発生"としてもよい。
【００５４】
ユーザ装置ＵＥは、各接続ＣＣの受信タイミングを監視しており、例えば、図７（ｂ）に示したように、あるＣＣについて受信ｗｉｎｄｏｗ外（もしくはＣＣ間受信タイミング差分閾値超過）が発生した場合に、イベントＡ２の条件が満たされた（トリガが発生した）と判定する（ステップ３０２）。そして、該当ＣＣの識別情報を含むｍｅａｓｕｒｅｍｅｎｔ  ｒｅｐｏｒｔを基地局ｅＮＢに送信する（ステップ３０３）。
【００５５】
受信ｗｉｎｄｏｗ外となったＣＣの識別情報を含むｍｅａｓｕｒｅｍｅｎｔ  ｒｅｐｏｒｔを受信した基地局ｅＮＢは、当該ＣＣのＳＣｅｌｌを削除すると判定し（ステップ３０４）、ユーザ装置ＵＥに対してＳＣｅｌｌ削除設定を行う（ステップ３０５）。
【００５６】
なお、ＣＣの受信タイミングの変動が大きい場合、削除の後、すぐに受信ｗｉｎｄｏｗ内になりＣＣ（ＳＣｅｌｌ）追加となり、またすぐに削除になるといったことが考えられるため、削除後は、受信ｗｉｎｄｏｗ内の条件を満たしても追加を行わないこととするｐｒｏｈｉｂｉｔ期間を設けてもよい。ｐｒｏｈｉｂｉｔ期間は、該当ＣＣについて、ユーザ装置ＵＥが基地局ｅＮＢに対してｍｅａｓｕｒｅｍｅｎｔ  ｒｅｐｏｒｔを送信しないこととする期間であってもよいし、基地局ｅＮＢが、該当ＣＣについてｍｅａｓｕｒｅｍｅｎｔ  ｒｅｐｏｒｔを受信して追加条件を満たしたことがわかってもＳＣｅｌｌ追加を行わない期間であってもよい。また、報告に際してはｐｉｎｇ−ｐｏｎｇが発生しないように、保護段数等が考慮されてもよい。
【００５７】
なお、第１の実施の形態と第２の実施の形態に共通の事項として、ユーザ装置ＵＥの実装によっては、ＣＣ間の受信タイミング差を測定できるｂａｎｄ  ｃｏｍｂｉｎａｔｉｏｎ（バンドの組み合わせ）が限定されていることが考えられる。
【００５８】
そこで、ユーザ装置ＵＥは、どのｂａｎｄ  ｃｏｍｂｉｎａｔｉｏｎで受信タイミング差を測定できるのかをｃａｐａｂｉｌｉｔｙとして基地局ｅＮＢに通知してもよい。通知を受けた基地局ｅＮＢは、例えば、受信タイミング差を測定できるｂａｎｄ  ｃｏｍｂｉｎａｔｉｏｎのみでのＳＣｅｌｌの設定を行うことができる。具体的なｃａｐａｂｉｌｉｔｙ通知方法としては、ユーザ装置ＵＥは、各ＣＡ  ｂａｎｄ  ｃｏｍｂｉｎａｔｉｏｎ（及び、そのｓｕｂｓｅｔ）毎に受信タイミング差測定が可能かどうかを通知するビットを用いてもよいし、測定が可能なＣＡ  ｂａｎｄ  ｃｏｍｂｉｎａｔｉｏｎ（及び、そのｓｕｂｓｅｔ）のみを報告するようにしてもよい。
【００５９】
（装置構成、動作フロー）
＜ユーザ装置ＵＥ＞
図１０に、本実施の形態におけるユーザ装置ＵＥの機能構成図を示す。図１０に示すように、ユーザ装置ＵＥは、ＤＬ信号受信部１０１、ＵＬ信号送信部１０２、ＣＣ間受信タイミング差測定部１０３、ＣＡ制御部１０４、情報通知処理部１０５を備える。なお、図１０は、ユーザ装置ＵＥにおいて本発明に特に関連する機能部のみを示すものであり、少なくともＬＴＥに準拠した動作を行うための図示しない機能も有するものである。
【００６０】
ＤＬ信号受信部１０１は、基地局ｅＮＢから各種の下り信号を受信し、受信した物理レイヤの信号からより上位のレイヤの情報を取得する機能を含み、ＵＬ信号送信部１０２は、ユーザ装置ＵＥから送信されるべき上位のレイヤの情報から、物理レイヤの各種信号を生成し、基地局ｅＮＢに対して送信する機能を含む。
【００６１】
ＣＣ間受信タイミング差測定部１０３は、ＤＬ信号受信部１０１により受信する信号に基づき、接続セル及び周辺セルの各ＣＣのＣＣ間受信タイミング差を測定する。また、ＣＣ間受信タイミング差測定部１０３は、ＣＣ間受信タイミング差と所定の閾値とを比較することで、ＣＣ間受信タイミング差が所定の閾値を超過したこと（あるいは所定の閾値内にあること）を検出する機能も備える。また、前述したように、イベントとして、受信品質も考慮する場合には、ＣＣ間受信タイミング差測定部１０３が受信品質を測定する機能を含んでもよい。
【００６２】
ＣＡ制御部１０４は、ＣＡを構成しているＰＣｅｌｌ（ＰＣＣ）、ＳＣｅｌｌ（ＳＣＣ）の管理や、基地局ｅＮＢからの指示に基づくＳＣｅｌｌの追加／削除、Ａｃｔｉｖａｔｉｏｎ／Ｄｅａｃｔｉｖａｔｉｏｎ等のユーザ装置ＵＥにおけるＣＡに関する制御を行う。
【００６３】
情報通知処理部１０５は、これまでに説明したように、ＣＣ間受信タイミング差の値、閾値を超えたＣＣ識別情報等を含むメッセージ（ＭＡＣ  ＣＥ、ＲＲＣメッセージ、ＣＳＩ情報等）を作成し、ＵＬ信号送信部１０２を用いて基地局ｅＮＢに通知する処理を行う。
【００６４】
次に、図１１に示すフローチャートを参照して、ユーザ装置ＵＥの基本的な動作例を説明する。図１１に示す動作例は、ＣＣ間受信タイミング差に基づく条件がトリガとなって基地局ｅＮＢへの報告を行う例である。
【００６５】
ユーザ装置ＵＥはＣＡを行っており、接続セル（ＣＣ）毎にＣＣ間受信タイミング差に基づく条件が満たされたかどうかをチェックする（ステップ４０１）。この条件は、例えば、「ＣＣ間受信タイミング差が所定の閾値を超過したＣＣがある」あるいは「受信ｗｉｎｄｏｗ外となるＣＣがある」ことである。この条件を満たす場合（ステップ４０１のＹｅｓ）、ユーザ装置ＵＥは、例えば、当該条件を満たしたＣＣの識別情報を基地局ｅＮＢに報告する（ステップ４０２）。
【００６６】
なお、ユーザ装置ＵＥの機能構成は上記のものに限られるわけではなく、本実施の形態で説明する処理を実現できるいかなる構成を採用してもよい。例えば、ユーザ装置ＵＥを、コンポーネントキャリア間の受信タイミング差を測定する測定部と、前記測定部により測定された受信タイミング差に関する情報を基地局に通知する情報通知部と、前記情報を受信した前記基地局からの指示に基づいて、前記キャリアアグリゲーションにおけるセカンダリセルの追加又は削除を行う制御部とを備えて構成してもよい。
【００６７】
前記情報通知部により通知される前記受信タイミング差に関する情報は、あるコンポーネントキャリアについて、当該コンポーネントキャリアと、他のコンポーネントキャリアのうち受信タイミング差が最大となるコンポーネントキャリアとの間の受信タイミング差が、所定の閾値未満であるか否かを示す情報である。このような情報を基地局に通知することで、基地局は、追加候補となるＣＣについて、受信タイミング差が所定の閾値未満であるか否かの判断を加味した上でＳＣｅｌｌの追加を行うことができ、例えば、受信品質は良いが受信タイミングがずれているＣＣの追加を回避することができる。
【００６８】
前記情報通知部は、例えば、前記あるコンポーネントキャリアについての受信品質が所定の閾値以上となったことをトリガとして、前記受信タイミング差に関する情報を前記基地局に通知する。これにより、例えば、イベントＡ４をトリガとして受信タイミング差に関する情報を基地局に通知できる。基地局側では、受信品質とともに受信タイミング差を考慮して、適切なＣＣをＳＣｅｌｌとして追加することが可能となる。
【００６９】
前記情報通知部により通知される前記受信タイミング差に関する情報は、例えば、所定の時間幅からなる受信ウィンドウから外れた受信タイミングのコンポーネントキャリアの識別情報である。このような識別情報を送信することで、基地局は、的確に受信ウィンドウから外れたコンポーネントキャリアを把握でき、例えば受信タイミングが大きくずれて使用できないＳＣｅｌｌの削除を行うことができる。
【００７０】
前記情報通知部は、前記コンポーネントキャリアの受信タイミングが前記受信ウィンドウから外れたことをトリガとして、前記受信タイミング差に関する情報を前記基地局に通知することもできる。これにより、基地局は、受信タイミングのずれが発生したＣＣを迅速に把握できる。
【００７１】
また、前記情報通知部は、ＲＲＣメッセージ、ＭＡＣコントロールエレメント、又はＣＳＩ報告を用いて前記受信タイミング差に関する情報を前記基地局に通知することができる。
【００７２】
＜基地局ｅＮＢ＞
図１２に、本実施の形態における基地局ｅＮＢの機能構成図を示す。図１２に示すように、基地局ｅＮＢは、ＤＬ信号送信部２０１、ＵＬ信号受信部２０２、ＵＥ情報格納部２０３、ＳＣｅｌｌ追加削除判定部２０４、情報通知処理部２０５を有する。なお、図１２は、基地局ｅＮＢにおいて本発明の実施の形態に特に関連する機能部のみを示すものであり、少なくともＬＴＥ方式に準拠した動作を行うための図示しない機能も有するものである。
【００７３】
ＤＬ信号送信部２０１は、基地局ｅＮＢから送信されるべき上位のレイヤの情報から、物理レイヤの各種信号を生成し、ユーザ装置ＵＥに対して送信する機能を含む。ＵＬ信号受信部２０２は、ユーザ装置ＵＥから各種の上り信号を受信し、受信した物理レイヤの信号からより上位のレイヤの情報を取得する機能を含む。
【００７４】
ＵＥ情報格納部２０３は、ユーザ装置ＵＥ毎の能力情報、現在のＣＡ状態（接続ＣＣ等）等のユーザ装置ＵＥに関する情報を格納しており、この情報は常に更新され、最新の情報になっている。ＳＣｅｌｌ追加削除判定部２０４は、ユーザ装置ＵＥから受信する通知情報に基づいて、ＵＥ情報格納部２０３に格納されるＵＥ情報から把握できる既存ＳＣｅｌｌの削除をしたり、現在のＣＡ構成に新たなＳＣｅｌｌを追加することなどを決定する。例えば、ＳＣｅｌｌ追加削除判定部２０４は、ユーザ装置ＵＥから、あるＳＣｅｌｌで使用していないＣＣについて、受信品質がよく、ＣＣ間受信タイミング差が小さいことを示す報告を受信した場合に、当該ＣＣのＳＣｅｌｌを追加すると判定する。また、例えば、ＳＣｅｌｌ追加削除判定部２０４は、ある接続セルのＣＣについて、ＣＣ間受信タイミング差が閾値よりも大きいことを示す報告を受信した場合に、当該ＣＣのＳＣｅｌｌを削除することを決定する。
【００７５】
情報通知処理部２０５は、例えば、測定の内容、閾値、報告トリガとするイベント等をユーザ装置ＵＥに通知するメッセージを作成し、当該メッセージをユーザ装置ＵＥにＤＬ信号送信部２０１により送信する機能を有する。また、情報通知処理部２０５は、ＳＣｅｌｌ追加削除判定部２０４によりＳＣｅｌｌの追加／削除の決定が行われた場合に、ユーザ装置ＵＥに対してＳＣｅｌｌの追加／削除の設定を行うためのメッセージを生成し、当該メッセージをユーザ装置ＵＥにＤＬ信号送信部２０１により送信する機能を有する。
【００７６】
図１３のフローチャートを参照して、基地局ｅＮＢの基本的な動作例を説明する。図１３に示す例では、まず、基地局ｅＮＢは、ユーザ装置ＵＥから報告を受信する（ステップ５０１）。この報告には、例えば、あるＣＣについてのＣＣ間受信タイミング差が所定の閾値を超えたことを示す情報が含まれる。
【００７７】
ユーザ装置ＵＥは、ステップ５０１で受信した報告に基づいて、ＳＣｅｌｌ追加／削除判定を行う（ステップ５０２）。例えば、上記のように、あるＣＣについてのＣＣ間受信タイミング差が所定の閾値を超えたことを示す情報を報告として受信した場合は、当該ＣＣのＳＣｅｌｌを削除すると判定する。基地局ｅＮＢは、ステップ５０２での判定結果に基づいて、ユーザ装置ＵＥに対してＳＣｅｌｌ追加／削除設定を行う（ステップ５０３）。
【００７８】
なお、基地局ｅＮＢの機能構成は上記のものに限られるわけではなく、本実施の形態で説明する処理を実現できるいかなる構成を採用してもよい。例えば、基地局ｅＮＢを、ユーザ装置から、あるコンポーネントキャリアについてのコンポーネントキャリア間の受信タイミング差に関する情報を受信する受信部と、前記受信部により受信した受信タイミング差に関する情報に基づいて、前記コンポーネントキャリアに対応するセカンダリセルセルを追加又は削除するか否かを判定する判定部と、前記判定部による判定結果に基づいて、前記セカンダリセルセルを追加又は削除することを前記ユーザ装置に指示する情報通知部とを備えて構成することができる。
【００７９】
明細書には少なくとも下記の事項が開示されている。
（第１項）
キャリアアグリゲーションに対応した移動通信システムにおけるユーザ装置であって、
コンポーネントキャリア間の受信タイミング差を測定する測定部と、
前記測定部により測定された受信タイミング差に関する情報を基地局に通知する情報通知部と、
前記情報を受信した前記基地局からの指示に基づいて、前記キャリアアグリゲーションにおけるセカンダリセルの追加又は削除を行う制御部と
を備えることを特徴とするユーザ装置。
（第２項）
前記情報通知部により通知される前記受信タイミング差に関する情報は、あるコンポーネントキャリアについて、当該コンポーネントキャリアと、他のコンポーネントキャリアのうち受信タイミング差が最大となるコンポーネントキャリアとの間の受信タイミング差が、所定の閾値未満であるか否かを示す情報である
ことを特徴とする第１項に記載のユーザ装置。
（第３項）
前記情報通知部は、前記あるコンポーネントキャリアについての受信品質が所定の閾値以上となったことをトリガとして、前記受信タイミング差に関する情報を前記基地局に通知する
ことを特徴とする第２項に記載のユーザ装置。
（第４項）
前記情報通知部により通知される前記受信タイミング差に関する情報は、所定の時間幅からなる受信ウィンドウから外れた受信タイミングのコンポーネントキャリアの識別情報である
ことを特徴とする第１項に記載のユーザ装置。
（第５項）
前記情報通知部は、前記コンポーネントキャリアの受信タイミングが前記受信ウィンドウから外れたことをトリガとして、前記受信タイミング差に関する情報を前記基地局に通知する
ことを特徴とする第４項に記載のユーザ装置。
（第６項）
前記情報通知部は、ＲＲＣメッセージ、ＭＡＣコントロールエレメント、又はＣＳＩ報告を用いて前記受信タイミング差に関する情報を前記基地局に通知する
ことを特徴とする第１項ないし第５項のうちいずれか１項に記載のユーザ装置。
（第７項）
キャリアアグリゲーションに対応した移動通信システムにおける基地局であって、
ユーザ装置から、あるコンポーネントキャリアについてのコンポーネントキャリア間の受信タイミング差に関する情報を受信する受信部と、
前記受信部により受信した受信タイミング差に関する情報に基づいて、前記コンポーネントキャリアに対応するセカンダリセルを追加又は削除するか否かを判定する判定部と、
前記判定部による判定結果に基づいて、前記セカンダリセルを追加又は削除することを前記ユーザ装置に指示する情報通知部と
を備えることを特徴とする基地局。
（第８項）
キャリアアグリゲーションに対応した移動通信システムにおけるユーザ装置が実行するキャリアアグリゲーション制御方法であって、
コンポーネントキャリア間の受信タイミング差を測定する測定ステップと、
前記測定部により測定された受信タイミング差に関する情報を基地局に通知する情報通知ステップと、
前記情報を受信した前記基地局からの指示に基づいて、前記キャリアアグリゲーションにおけるセカンダリセルの追加又は削除を行う制御ステップと
を備えることを特徴とするキャリアアグリゲーション制御方法。
（第９項）
キャリアアグリゲーションに対応した移動通信システムにおける基地局が実行するキャリアアグリゲーション制御方法であって、
ユーザ装置から、あるコンポーネントキャリアについてのコンポーネントキャリア間の受信タイミング差に関する情報を受信する受信ステップと、
前記受信ステップにより受信した受信タイミング差に関する情報に基づいて、前記コンポーネントキャリアに対応するセカンダリセルを追加又は削除するか否かを判定する判定ステップと、
前記判定ステップによる判定結果に基づいて、前記セカンダリセルを追加又は削除することを前記ユーザ装置に指示する情報通知ステップと
を備えることを特徴とするキャリアアグリゲーション制御方法。
【００８０】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００８１】
ＵＥ  ユーザ装置
ｅＮＢ  基地局
１０１  ＤＬ信号受信部
１０２  ＵＬ信号送信部
１０３  ＣＣ間受信タイミング差測定部
１０４  ＣＡ制御部
１０５  情報通知処理部
２０１  ＤＬ信号送信部
２０２  ＵＬ信号受信部
２０３  ＵＥ情報格納部
２０４  ＳＣｅｌｌ追加削除判定部
２０５  情報通知処理部
【図１】
2018170813.tif 000003
【図２】
2018170813.tif 000004
【図３】
2018170813.tif 000005
【図４】
2018170813.tif 000006
【図５】
2018170813.tif 000007
【図６】
2018170813.tif 000008
【図７】
2018170813.tif 000009
【図８】
2018170813.tif 000010
【図９】
2018170813.tif 000011
【図１０】
2018170813.tif 000012
【図１１】
2018170813.tif 000013
【図１２】
2018170813.tif 000014
【図１３】
2018170813.tif 000015